(57)【要約】【課題】ユーザがより変化に富んだ画像を撮影できるようにする。【解決手段】ユーザは、撮影準備空間２において、写真撮影装置１００により撮影を行い、撮影された画像に基づいて、より綺麗な画像を得るためのアドバイスを受ける。アドバイスを受けたユーザは、再度撮影を行い、アドバイス前後の画像を比較し、どれだけ変化したかを実感する。次に、ユーザは撮影空間３に移動して、写真撮影編集装置３０に、撮影準備空間２において撮影された撮影準備画像を表示させ、撮影準備画像を参考にしながら、写真シール用の画像を撮影する。撮影空間３において撮影を終了したユーザは、編集空間４に移動して撮影空間３において撮影された画像に編集を行う。本発明は、写真シール印刷装置に適用することができる。【選択図】      図２
2004177631.tif 000002
【特許請求の範囲】
【請求項１】
被写体の画像を撮影する第１の撮影手段と、
前記第１の撮影手段により撮影された前記被写体の画像を表示する第１の表示手段と、
被写体の画像を撮影する第２の撮影手段と、
前記第２の撮影手段により撮影された前記被写体の画像を表示する第２の表示手段と、
前記第２の撮影手段により撮影された画像を表示し、編集入力を受け付ける第３の表示手段と、
前記第３の表示手段により表示され、編集された画像を写真シールに印刷する印刷手段と
を備え、
前記第１の表示手段により表示される前記被写体の画像を撮影する撮影準備空間と、
前記第２の表示手段により表示される前記被写体の画像を撮影する撮影空間と、
前記第３の表示手段により表示される前記被写体の画像を編集する編集空間と、
が異なる位置に設けられる
ことを特徴とする写真シール印刷装置。
【請求項２】
前記第１の撮影手段により撮影された画像をもとに、アドバイスを行うアドバイス手段を備え、
前記アドバイスは、前記撮影準備空間において行われる
ことを特徴とする請求項１に記載の写真シール印刷装置。
【請求項３】
前記アドバイス手段は、前記撮影準備空間において行われた被写体の化粧に関するアドバイスを行う
ことを特徴とする請求項２に記載の写真シール印刷装置。
【請求項４】
前記第１の表示手段は、前記アドバイス手段によりアドバイスが行われる前の前記被写体の画像と、前記アドバイス手段によりアドバイスが行われた後の前記被写体の画像を表示する
ことを特徴とする請求項２または３に記載の写真シール印刷装置。
【請求項５】
前記アドバイス手段は、
前記第１の撮影手段により撮影された画像を分析する画像分析手段と、
前記分析手段の分析結果に基づいて、情報を出力する情報出力手段と
を備えることを特徴とする請求項２，３または４に記載の写真シール印刷装置。
【請求項６】
前記アドバイス手段は、
前記第１の撮影手段により撮影された画像をネットワークを介して他の装置に転送する画像転送手段と、
前記他の装置と音声通信を行う音声通信手段と
を備えることを特徴とする請求項２乃至５のいずれかに記載の写真シール印刷装置。
【請求項７】
前記第２の撮影手段による撮影を行う前に、前記第１の撮影手段による撮影が行われたか否かを確認する確認手段をさらに備える
ことを特徴とする請求項１乃至６のいずれかに記載の写真シール印刷装置。
【請求項８】
前記第１の撮影手段により行われた撮影を特定する情報を提示する提示手段をさらに備え、
前記確認手段は、前記提示手段により提示された情報に基づいて、前記第１の撮影手段により撮影が行われたことを確認する
ことを特徴とする請求項７に記載の写真シール印刷装置。
【請求項９】
前記確認手段は、
前記第１の撮影手段により撮影された画像の表示の要求の有無を判定する表示判定手段と、
撮影された画像の表示の要求があった場合、前記要求に対応する画像を読み出す画像読み出し手段と
を備えることを特徴とする請求項７に記載の写真シール印刷装置。
【請求項１０】
前記印刷手段により前記画像が印刷される前記写真シールを識別するための識別情報を読み取る読み取り手段をさらに備える
ことを特徴とする請求項１乃至９のいずれかに記載の写真シール印刷装置。
【請求項１１】
前記印刷手段により画像が印刷される前記写真シールを格納するとともに、前記読み取り手段により読み取られる前記識別情報を保持することを特徴とする請求項１０に記載の写真シール印刷装置により使用される写真シールユニット。
【請求項１２】
撮影準備空間において、被写体の画像を撮影する第１の撮影ステップと、
前記第１の撮影ステップの処理により撮影された前記被写体の画像を表示する第１の表示ステップと、
前記撮影準備空間と異なる撮影空間において、被写体の画像を撮影する第２の撮影ステップと、
前記第２の撮影ステップの処理により撮影された前記被写体の画像を表示する第２の表示ステップと、
前記撮影準備空間および前記撮影空間とは異なる編集空間において、前記第２の撮影ステップの処理により撮影された画像を表示し、編集入力を受け付ける第３の表示ステップと、
前記第３の表示ステップの処理で表示され、編集された画像を写真シールに印刷する印刷ステップと
を含むことを特徴とする写真シール印刷方法。
【請求項１３】
撮影準備空間における被写体の画像の撮影を制御する第１の撮影制御ステップと、
前記第１の撮影制御ステップの処理により撮影された前記被写体の画像の表示を制御する第１の表示制御ステップと、
前記撮影準備空間と異なる撮影空間における被写体の画像の撮影を制御する第２の撮影制御ステップと、
前記第２の撮影制御ステップの処理により撮影された前記被写体の画像の表示を制御する第２の表示ステップと、
前記撮影準備空間および前記撮影空間とは異なる編集空間における前記第２の撮影制御ステップの処理により撮影された画像の表示と、その表示画像に対する編集入力の受け付けを制御する第３の表示制御ステップと
をコンピュータに実行させることを特徴とするプログラム。
【発明の詳細な説明】
【０００１】
【発明の属する技術分野】
本発明は写真シール印刷装置および方法、写真シールユニット、並びにプログラムに関し、特に、ユーザが、より変化に富んだ写真を撮影することができるようにした写真シール印刷装置および方法、写真シールユニット、並びにプログラムに関する。
【０００２】
【従来の技術】
従来、ユーザの画像を撮影し、これを予め用意されたフレーム画像と合成してシール紙などに印刷して提供する写真シール印刷装置（例えば、プリントクラブ（商標））が知られている。この写真シール印刷装置において、撮影空間と編集空間を分離し、回転効率を上げるとともに、ユーザがより長い時間、編集を行うことができるようにすることが提案されている（例えば、特許文献１）。
【０００３】
【特許文献１】
特許第３３２４０３８号公報
【０００４】
【発明が解決しようとする課題】
しかしながら、従来の写真シール印刷装置は、撮影されたユーザの画像にいたずら書きなどの編集を行うだけで、より変化に富んだユーザを撮影することができないという課題があった。
【０００５】
本発明はこのような状況に鑑みてなされたものであり、より変化に富んだユーザを撮影することができるようにし、もって、ユーザの満足度を上げるようにするものである。
【０００６】
【課題を解決するための手段】
本発明の写真シール印刷装置は、被写体の画像を撮影する第１の撮影手段と、第１の撮影手段により撮影された被写体の画像を表示する第１の表示手段と、被写体の画像を撮影する第２の撮影手段と、第２の撮影手段により撮影された被写体の画像を表示する第２の表示手段と、第２の撮影手段により撮影された画像を表示し、編集入力を受け付ける第３の表示手段と、第３の表示手段により表示され、編集された画像を写真シールに印刷する印刷手段とを備え、第１の表示手段により表示される被写体の画像を撮影する撮影準備空間と、第２の表示手段により表示される被写体の画像を撮影する撮影空間と、第３の表示手段により表示される被写体の画像を編集する編集空間とが異なる位置に設けられることを特徴とする。
【０００７】
第１の撮影手段は、例えば、図６の撮影装置１２０により構成され、第１の表示手段は、例えば、図６の撮影用モニタ１２３により構成され、第２の撮影手段は、例えば、図３の撮影装置４０により構成され、第２の表示手段は、例えば、図３の撮影用モニタ６１により構成される。第３の表示手段は、例えば、図４の編集用モニタ８１により構成され、印刷手段は、例えば、図５のプリンタ９１により構成される。また、第１の表示手段により表示される被写体の画像を撮影する撮影準備空間と、第２の表示手段により表示される被写体の画像を撮影する撮影空間と、第３の表示手段により表示される被写体の画像を編集する編集空間とが異なる位置に設けられる。
【０００８】
ユーザは、撮影準備空間において、第１の撮影手段により撮影された画像に基づいて、化粧や着替えを行う。そして、ユーザは、撮影空間において、第２の撮影手段により、撮影を行い、第３の表示手段により表示される画面を確認しながら、撮影した画像を編集する（書き込みをする）。そして、ユーザは、印刷手段により印刷されるシール紙を取得する。
【０００９】
したがって、ユーザは、写真シール用画像の撮影を行う前に撮影準備を行うことができる。また、撮影準備空間では、化粧や着替えをすることができる。
【００１０】
第１の撮影手段により撮影された画像をもとに、撮影準備空間において、アドバイスを行うアドバイス手段を備えることができる。
【００１１】
アドバイス手段は、例えば、図９のステップＳ８の処理を実行する図７のＣＰＵ３０１により構成される。
【００１２】
これによりユーザは、綺麗な画像を撮影するためのアドバイスを受けることができる。
【００１３】
アドバイス手段は、前記撮影準備空間において行われた被写体の化粧に関するアドバイスを行うことができる。
【００１４】
これにより、ユーザはアドバイスに基づいた適切な化粧を行うことができる。
【００１５】
第１の表示手段は、アドバイス手段によりアドバイスが行われる前の被写体の画像と、アドバイス手段によりアドバイスが行われた後の被写体の画像を表示することができる。
【００１６】
これにより、ユーザはアドバイスに基づいて、化粧をした結果、どれだけ綺麗になったかを確認することができる。
【００１７】
アドバイス手段は、第１の撮影手段により撮影された画像を分析する画像分析手段と、分析手段の分析結果に基づいて、情報を出力する情報出力手段とを備えるようにすることができる。
【００１８】
画像分析手段は、例えば、図１２のステップＳ２１の処理を実行する図７のＣＰＵ３０１により構成され、情報出力手段は、例えば、図１２のステップＳ２２の処理を実行する図７のＣＰＵ３０１により構成される。
【００１９】
これにより、ユーザは綺麗になるためのアドバイスを受けることができる。
【００２０】
また、アドバイスは上記のアドバイスに限らず（綺麗に見える）撮影の仕方や撮影画像の編集（落書き）方法でもよい。
【００２１】
アドバイス手段は、第１の撮影手段により撮影された画像をネットワークを介して他の装置に転送する画像転送手段と、他の装置と音声通信を行う音声通信手段とを備えるようにすることができる。
【００２２】
画像転送手段は、例えば、図１５のステップＳ４２の処理を実行する図７のＣＰＵ３０１により構成される。音声通信手段は、例えば、図１５のステップＳ４３の処理を実行する図７のＣＰＵ３０１により構成される。
【００２３】
これにより、ユーザは、遠隔地にいるアドバイザから綺麗になるためのアドバイスを受けることができる。
【００２４】
また、表示画面上に、アドバイザの画像等を表示してもよい。このようにすることで、ユーザはアドバイザに親しみを持ちやすくなる。
【００２５】
第２の撮影手段による撮影を行う前に、第１の撮影手段による撮影が行われたか否かを確認する確認手段をさらに備えるようにすることができる。
【００２６】
確認手段は、例えば、図１６のステップＳ６３の処理を実行する図５のＣＰＵ２０１により構成される。
【００２７】
これにより、ユーザが撮影準備空間において撮影準備画像を撮影したか否かを確認することができる。
【００２８】
第１の撮影手段により行われた撮影を特定する情報を提示する提示手段をさらに備え、確認手段は、提示手段により提示された情報に基づいて、第１の撮影手段により撮影が行われたことを確認するようにすることができる。
【００２９】
提示手段は、例えば、図９のステップＳ１４の処理で発行されるカードにより構成される。
【００３０】
これにより、ユーザが撮影準備空間において撮影した撮影準備画像を、撮影空間で表示することができる。
【００３１】
確認手段は、第１の撮影手段により撮影された画像の表示の要求の有無を判定する表示判定手段と、撮影された画像の表示の要求があった場合、要求に対応する画像を読み出す画像読み出し手段とを備えるようにすることができる。
【００３２】
判定手段は、例えば、図２０のステップＳ９２の処理を実行する図５のＣＰＵ２０１により構成される。読み出し手段は、例えば、図２０のステップＳ９５の処理を実行する図５のＣＰＵ２０１により構成される。
【００３３】
印刷手段により画像が印刷される写真シールを識別するための識別情報を読み取る読み取り手段をさらに備えることができる。
【００３４】
読み取り手段は、例えば図５のＩＤタグリーダ／ライタ２１０により構成される。
【００３５】
このようにすることにより、画像印刷装置にシール紙を補充する際、間違いなく、画像印刷装置専用として予め指定されたシール紙を、補充することが可能となる。
【００３６】
本発明の写真シールユニットは、印刷手段により画像が印刷される写真シールを格納するとともに、読み取り手段により読み取られる識別情報を保持することを特徴とする。
【００３７】
本発明の写真シール印刷方法は、撮影準備空間において、被写体の画像を撮影する第１の撮影ステップと、第１の撮影ステップの処理により撮影された被写体の画像を表示する第１の表示ステップと、撮影準備空間と異なる撮影空間において、被写体の画像を撮影する第２の撮影ステップと、第２の撮影ステップの処理により撮影された被写体の画像を表示する第２の表示ステップと、撮影準備空間および撮影空間とは異なる編集空間において、第２の撮影ステップの処理により撮影された画像を表示し、編集入力を受け付ける第３の表示ステップと、第３の表示ステップの処理で表示され、編集された画像を写真シールに印刷する印刷ステップとを含むことを特徴とする。
【００３８】
第１の撮影ステップは例えば、図８のステップＳ５により構成され、第１の表示ステップは、例えば、図９のステップＳ１２により構成される。第２の撮影ステップは、例えば、図１６のステップＳ６６により構成される。第２の表示ステップは、例えば、図１７のステップＳ７３により構成され、第３の表示ステップは、例えば、図２４のステップＳ１１２により構成される。印刷ステップは、例えば、図２４のステップＳ１１７により構成される。
【００３９】
本発明のプログラムは、撮影準備空間における被写体の画像の撮影を制御する第１の撮影制御ステップと、第１の撮影制御ステップの処理により撮影された被写体の画像の表示を制御する第１の表示制御ステップと、撮影準備空間と異なる撮影空間における被写体の画像の撮影を制御する第２の撮影制御ステップと、第２の撮影制御ステップの処理により撮影された被写体の画像の表示を制御する第２の表示ステップと、撮影準備空間および撮影空間とは異なる編集空間における第２の撮影制御ステップの処理により撮影された画像の表示と、その表示画像に対する編集入力の受け付けを制御する第３の表示制御ステップとをコンピュータに実行させることを特徴とする。
【００４０】
第１の撮影制御ステップは例えば、図８のステップＳ５により構成され、第１の表示制御ステップは、例えば、図９のステップＳ１２により構成される。第２の撮影制御ステップは、例えば、図１６のステップＳ６６により構成される。第２の表示制御ステップは、例えば、図１７のステップＳ７３により構成され、第３の表示制御ステップは、例えば、図２４のステップＳ１１２により構成される。印刷制御ステップは、例えば、図２４のステップＳ１１７により構成される。
【００４１】
本発明のプログラムは、所定の記録媒体に記録されて、例えば、図５のドライブ２２０、図７のドライブ部３２０により読み出される。記録媒体は、フロッピディスクなどよりなる磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ）などよりなる光ディスク、ＭＤ（Ｍｉｎｉ  Ｄｉｓｋ）などよりなる光磁気ディスク、または半導体メモリなどより構成される。
【００４２】
【発明の実施の形態】
以下に、本発明の実施の形態について図面を参照して説明する。図１は本発明の第１の写真シール印刷装置の全体の構成を示している。所定の部屋（図示せず）の所定の設置場所に配置されている写真シール印刷装置１には、撮影準備空間２、撮影空間３、および編集空間４が設けられている。撮影準備空間２と撮影空間３とは、間仕切り１２により仕切られており、撮影空間３と編集空間４とは、間仕切り１３により仕切られている。撮影準備空間の前面にはカーテン１５が設けられ、撮影空間の前面にはカーテン１６が設けられ、編集空間４の前面にはカーテン１７が設けられている。このように、撮影準備空間２、撮影空間３、および編集空間４は、それぞれが、各ユーザが、他のユーザから見られずに、それぞれ撮影準備、撮影、または編集を行うことができるように実質的に閉じられた空間とされている。
【００４３】
図２は、カーテン１５乃至１７を開いたときの図である。カーテン１５は撮影準備空間２の天井２Ｔに沿って右側にスライドされ開けられている。撮影準備空間２の天井２Ｔには、洋服掛け２０が設けられており、洋服掛け２０には、ユーザが着替えるときに使用する洋服２１が掛けられている。また、撮影準備空間には、写真撮影装置１００が設置されている。
【００４４】
カーテン１６は、撮影空間３の天井３Ｔに沿って右側にスライドされ開けられている。撮影空間３には写真撮影編集装置３０が設置されている。写真撮影装置１００と写真撮影編集装置３０とはケーブル１１０を介して接続されており、間仕切り１２にはケーブル１１０を通す穴が開けられている。
【００４５】
カーテン１７は、編集空間４の天井４Ｔに沿って右側にスライドされ開けられている。間仕切り１３には写真撮影編集装置３０と同じ大きさの穴が開けられており、編集空間４の左側の端面において、ユーザが、写真撮影編集装置３０の背面３０−６に触れることができるように写真撮影編集装置３０が設置されている。
【００４６】
ユーザは、撮影準備空間２において撮影準備画像を撮影した後、撮影空間３に入って写真シール用画像の撮影を行い、その後、編集空間に入り撮影空間３において撮影された写真シール用画像を編集し、そして印刷された写真シールを取得する。また、ユーザは、撮影準備空間２において撮影準備画像を撮影することなく、撮影空間３に入って写真シール用画像の撮影を行い、その後、編集空間に入り撮影空間３において撮影された写真シール用画像を編集し、そして印刷された写真シールを取得することもできる。
【００４７】
なお、撮影準備空間２、撮影空間３、および編集空間４において、それぞれ別々のユーザを受け付けることができる。
【００４８】
図３は写真撮影編集装置３０の外観を示す図である。写真撮影編集装置３０の正面上方の面３０−１には、撮影装置４０が設置されている。この撮影装置４０には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などよりなるカメラ４１、および小型のＬＣＤ（Ｌｉｑｕｉｄ  Ｃｒｙｓｔａｌ  Ｄｉｓｐｌａｙ）などよりなる取り込み画像表示部４２が配置されている。カメラ４１は、被写体の画像を取り込み、その画像（動画像）は、取り込み画像表示部４２に表示される。取り込み画像表示部４２がカメラ４１の近傍に設けられているため、ユーザは、取り込み画像表示部４２に表示されている自分の画像を確認しながら、視線をほぼカメラ４１に向けた状態で撮影することができる。
【００４９】
また、面３０−１の左右には、照明装置５１が配置される。照明装置５１は、内部に発光体（フラッシュ）を有しており、ユーザから撮影の開始が指示され、カメラ５１が被写体を撮影するとき（キャプチャするとき）、そのタイミングに合わせて、被写体を照射する。
【００５０】
面３０−１の下方にある、所定の角度だけ上方を向いた面３０−２には、ＣＲＴ（Ｃａｔｈｏｄｅ  Ｒａｙ  Ｔｕｂｅ）やＬＣＤなどよりなる撮影用モニタ６１が設置されている。撮影用モニタ６１は、撮影方法を案内する画面や、後述するように撮影装置４０により撮影された被写体の画像を表示する。
【００５１】
面３０−２の右側には、操作パネル６２が設置されている。操作パネル６２は、ユーザにより操作される各種の操作ボタンよりなり、例えば、カメラ４１のズームを調整するときなどに操作される。操作パネル６２には、例えば、撮影用モニタ６１に表示される各種の選択に対して、決定するとき操作される「○ボタン」、決定したものをキャンセルするとき操作される「×ボタン」、撮影用モニタ６１に表示されるカーソルなどを移動するとき操作される「＋ボタン」、「−ボタン」などが配置され、そのほか、撮影の開始を指示するとき操作される「撮影スタートボタン」などが適宜配置される。
【００５２】
面３０−２の下方にある面３０−３には、左上方に硬貨投入口７１が設けられており、ユーザは、写真撮影編集装置３０を利用するとき、所定の金額を投入する。また、面３０−３の左右下方には、スピーカ７２が設けられている。スピーカ７２は、各種の音声ガイダンスなどを出力し、ユーザに対して、撮影方法（シール作成の進行方法）を案内する。さらに、面３０−３右上方には、カード挿入口７３が設けられており、ユーザは、写真撮影編集装置３０を利用するとき、写真撮影装置１００により発行されたカードを挿入する。
【００５３】
図４は、写真撮影編集装置３０を背面からみた図である。写真撮影編集装置３０の背面３０−６には、ＣＲＴやＬＣＤなどよりなる編集用モニタ８１、タッチペン８２、およびスピーカ８３が設けられており、その下方には印刷されたシール紙を排出する印刷物取り出し口８４が設けられている。
【００５４】
カメラ４１で撮影され、編集する画像として選択され、保存された画像は、ユーザが撮影処理を終了した後、編集用モニタ８１に表示される。編集用モニタ８１には、タッチパネル２６２（図５参照）が積層されており、ユーザは、編集用モニタ８１に表示されている画像に対して、タッチペン８２を操作することにより、編集対象の画像（以下、適宜、編集対象画像と称する）に任意の文字や図形などを書き込む（入力する）ことができる。
【００５５】
編集用モニタ８１は、編集対象画像とともに、様々な編集ツールの選択ボタンなどを表示する。そして、編集用モニタ８１は、タッチペン８２で書き込みがされたとき、その入力に応じて生成した編集済みの画像を表示する。
【００５６】
タッチペン８２は、編集用モニタ８１に積層されるタッチパネル２６２の位置検出方式（例えば、抵抗膜式、超音波式など）に応じて構成され、編集に使用されないとき、面３０−６に設置されている突起部に固定される。
【００５７】
スピーカ８３は、編集空間にいるユーザに対して、編集の入力方法を説明する音声ガイダンスを出力する。
【００５８】
印刷物取り出し口８４は、所定の数、および大きさの複数のシールからなる、編集済みの画像が印刷されたシール紙を排出する。
【００５９】
図５は、写真撮影編集装置３０の内部の構成例を示すブロック図である。図３と図４において説明した部分についてはその説明は省略する。
【００６０】
ＣＰＵ（Ｃｅｎｔｒａｌ  Ｐｒｏｃｅｓｓｉｎｇ  Ｕｎｉｔ）２０１は、ＲＯＭ（Ｒｅａｄ  Ｏｎｌｙ  Ｍｅｍｏｒｙ）２０２に記憶されているプログラム、または、プログラム記憶部２０４からＲＡＭ（Ｒａｎｄｏｍ  Ａｃｃｅｓｓ  Ｍｅｍｏｒｙ）２０３にロードしたプログラムに従って写真撮影編集装置３０の全体の動作を、バス２５０を介して制御する。ＲＡＭ２０３にはまた、ＣＰＵ２０１が各種の処理を実行する上において必要なデータなどが適宜記憶される。
【００６１】
プログラム記憶部２０４は、ハードディスクやそのドライブからなり、ＣＰＵ２０１が実行する様々なプログラムなどを記憶する。ドライブ２２０は、フロッピディスクやハードディスクなどの磁気ディスク２３１、ＣＤ−ＲＯＭ，ＤＶＤなどの光ディスク２３２、ＭＤなどの光磁気ディスク２３３、または半導体メモリ２３４などの記録媒体に記憶されているプログラムを読み出し、バス２５０を介してプログラム記憶部２０４などに供給する。例えば、ドライブ２２０からは、被写体の画像と合成する新たなフレーム画像などが供給される。
【００６２】
撮影装置４０の内部には、上述したカメラ４１および取り込み画像表示部４２の他に、カメラ制御部２０５が配置されている。カメラ制御部２０５は、ユーザが操作パネル６２を操作することにより入力したカメラ４１の調節要求に応じて、カメラ４１のズーム率、取り込む光量などを制御する。
【００６３】
画像記憶部２０６は、ユーザが撮影し、編集する画像として選択した画像を所定の枚数だけ記憶する。例えば、画像記憶部２０６は、編集対象画像を６枚まで記憶する。
【００６４】
硬貨処理部２０７は、硬貨投入口７１から投入された硬貨をカウントし、画像の作成代金として予め設定されている所定の金額が投入されたと判定したとき、それをＣＰＵ２０１に通知する。
【００６５】
プリンタ９１は、画像シールを作成する部分であり、カメラ４１により撮影され、後述の編集処理などが施された後の画像をシール紙ユニット２１１から供給されるシール紙２１２などに印刷し、出力する。
【００６６】
ＩＤタグリーダ／ライタ２１０は、シール紙ユニット２１１に付されているＩＤタグ２１３を読み取り、ＣＰＵ２０１に通知する。ＣＰＵ２０１は、ＩＤタグリーダ／ライタ２１０より通知されたＩＤを、予めＲＯＭ２０２に記憶しているＩＤと照合することにより、シール紙ユニット２１１に収納されているシール紙２１２が、写真撮影編集装置３０が使用するシール紙として適当なシール紙であるか否かを判定し、写真撮影編集装置３０を使用可能、または使用不可能にする。
【００６７】
音声出力制御部２５１は、ＣＰＵ２０１からの制御に基づいてスピーカ７２を制御し、撮影方法などを説明する各種の音声ガイダンスや、例えば、静止画像を取り込むときのシャッター音などの効果音を出力する。また、音声出力制御部２６３は、スピーカ８３を制御し、編集方法などを説明する各種の音声ガイダンスや、画像に書き込むときに発生される効果音などを出力する。このように、スピーカ７２とスピーカ８３には、必要に応じてそれぞれ異なる音が出力される。
【００６８】
映像入出力制御部２６１は、撮影処理が終了し、ユーザが編集を開始するとき、画像記憶部２０６からバス２５０を介して転送されてくる編集対象画像を内蔵するメモリ（図示せず）に記憶する。そして、映像入出力制御部２６１は、タッチパネル２６２において編集入力がされたとき、編集対象画像上における、その入力位置を検出し、編集対象画像に反映させて編集用モニタ８１に表示させる。なお、図５においては、編集用モニタ８１とタッチパネル２６２は別の位置に示されているが、実際には積層して配置されている。
【００６９】
カード処理部２６５は、カード挿入口７３からカードが挿入されたとき、挿入されたことを表す信号をＣＰＵ２０１に送信し、またＣＰＵ２０１からの指示に対応して挿入されたカードを排出する。
【００７０】
通信部２６６は、ＣＰＵ２０１からの指示に基づき、後述する写真撮影装置１００との通信を行う。
【００７１】
図６は写真撮影装置１００の外観を示す図である。写真撮影装置１００の正面上方の面１００−１には、撮影装置１２０が設置されている。この撮影装置１２０には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などよりなるカメラ１２１、および小型のＬＣＤ（Ｌｉｑｕｉｄ  Ｃｒｙｓｔａｌ  Ｄｉｓｐｌａｙ）などよりなる取り込み画像表示部１２２が配置されている。カメラ１２１は、被写体の画像を取り込み、その画像（動画像）は、取り込み画像表示部１２２に表示される。取り込み画像表示部１２２がカメラ１２１の近傍に設けられているため、ユーザは、取り込み画像表示部１２２に表示されている自分の画像を確認しながら、視線をほぼカメラ１２１に向けた状態で撮影することができる。
【００７２】
また、面１００−１の左右には、照明装置１３１が配置される。照明装置１３１は、内部に発光体（フラッシュ）を有しており、ユーザから撮影の開始が指示され、カメラ１２１が被写体を撮影するとき（キャプチャするとき）、そのタイミングに合わせて、被写体を照射する。
【００７３】
撮影装置１２０の下方には、ＣＲＴ（Ｃａｔｈｏｄｅ  Ｒａｙ  Ｔｕｂｅ）やＬＣＤなどよりなる撮影用モニタ１２３が設置されている。撮影用モニタ１２３は、撮影方法を案内する画面や、後述するように撮影装置１２０により撮影された被写体の画像を表示する。
【００７４】
面１００−１の下方にある、所定の角度だけ上方を向いた面１００−２には、化粧箱１４１が設けられており、ユーザは、化粧箱１４１に収納されている化粧品を使って化粧をする。面１００−２の右側には、操作パネル１４２が設置されている。操作パネル１４２は、ユーザにより操作される各種の操作ボタンよりなり、例えば、カメラ１２１のズームを調整するときなどに操作される。操作パネル１４２には、例えば、撮影用モニタ１２３に表示される各種の選択に対して、決定するとき操作される「○ボタン」、決定したものをキャンセルするとき操作される「×ボタン」、撮影用モニタ１２３に表示されるカーソルなどを移動するとき操作される「＋ボタン」、「−ボタン」などが配置され、そのほか、撮影の開始を指示するとき操作される「撮影スタートボタン」などが適宜配置される。
【００７５】
面１００−２の下方にある面１００−３には、左上方に硬貨投入口１５１が設けられており、ユーザは、写真撮影装置１００を利用するとき、所定の金額を投入する。また、面１００−３の左右下方には、スピーカ１５２が設けられている。スピーカ１５２は、各種の音声ガイダンスなどを出力し、ユーザに対して、撮影方法を案内する。さらに、面３０−３右上方には、カード挿入口１５３が設けられており、ユーザは、撮影が終了したとき、写真撮影装置１００により発行されたカードを取得する。
【００７６】
図７は、写真撮影装置１００の内部の構成例を示すブロック図である。図６において説明した部分についてはその説明は省略する。
【００７７】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２に記憶されているプログラム、または、プログラム記憶部３０４からＲＡＭ（Ｒａｎｄｏｍ  Ａｃｃｅｓｓ  Ｍｅｍｏｒｙ）３０３にロードしたプログラムに従って画像印刷装置１の全体の動作を、バス３５０を介して制御する。ＲＡＭ３０３にはまた、ＣＰＵ３０１が各種の処理を実行する上において必要なデータなどが適宜記憶される。
【００７８】
プログラム記憶部３０４は、ハードディスクやそのドライブからなり、ＣＰＵ３０１が実行する様々なプログラムなどを記憶する。ドライブ３２０は、フロッピディスクやハードディスクなどの磁気ディスク３３１、ＣＤ−ＲＯＭ，ＤＶＤなどの光ディスク３３２、ＭＤなどの光磁気ディスク３３３、または半導体メモリ３３４などの記録媒体に記憶されているプログラムを読み出し、バス３５０を介してプログラム記憶部３０４などに供給する。例えば、ドライブ３２０からは、被写体の画像と合成する新たなフレーム画像などが供給される。
【００７９】
撮影装置１２０の内部には、上述したカメラ１２１および取り込み画像表示部１２２の他に、カメラ制御部３０５が配置されている。カメラ制御部３０５は、ユーザが操作パネル１４２を操作することにより入力したカメラ１２１の調節要求に応じて、カメラ１２１のズーム率、取り込む光量などを制御する。
【００８０】
画像記憶部３０６は、ユーザが撮影し、編集する画像として選択した画像を所定の枚数だけ記憶する。例えば、画像記憶部３０６は、編集対象画像を６枚まで記憶する。
【００８１】
硬貨処理部３０７は、硬貨投入口１５１から投入された硬貨をカウントし、画像の作成代金として予め設定されている所定の金額が投入されたと判定したとき、それをＣＰＵ３０１に通知する。
【００８２】
音声出力制御部３５１は、ＣＰＵ２０１からの制御に基づいてスピーカ１５２を制御し、撮影方法などを説明する各種の音声ガイダンスや、例えば、静止画像を取り込むときのシャッター音などの効果音を出力する。
【００８３】
カード処理部３６４は、ＣＰＵ２０１からの指示に対応して、カードユニット３６５からカード３６６を取り出し、画像記憶部３０６に記憶された画像に対応する情報をカードに記録して、カード取出口１５３に排出する。
【００８４】
通信部３６７は、ＣＰＵ３０１からの指示に対応して、写真撮影編集装置３０との通信を行う。
【００８５】
次に、図８と図９のフローチャートを参照して、写真撮影装置１００における撮影準備処理について説明する。
【００８６】
最初にステップＳ１において、ＣＰＵ３０１は、プログラム記憶部２０４に記憶されている、撮影の進行方法などのデモンストレーション画面（以下、デモ画面と称する）を、撮影用モニタ１２３に表示させる。ステップＳ２においてＣＰＵ３０１は、所定の代金が投入されたか否かを判定し、投入されたと判定するまでデモ画面を表示して待機する。
【００８７】
ステップＳ２において、所定の代金が投入されたと判定された場合、ＣＰＵ３０１は、ステップＳ３において、ユーザが撮影開始を指示するために操作する操作パネル１４２の撮影開始ボタンの受け付けを開始し、ステップＳ４において、所定の時間が経過したか否か、または、ユーザにより撮影開始のボタンが操作されたか否かを判定し、所定の時間が経過した、または、ユーザにより撮影開始ボタンが操作されたと判定するまで待機する。
【００８８】
ステップＳ４において所定の時間が経過した、または、ユーザにより撮影開始ボタンが操作されたと判定した場合、ＣＰＵ３０１は、ステップＳ５に進み、撮影用モニタ４１に、カウントダウンインジケータを表示させ、撮影を行う。ステップＳ６において、ＣＰＵ３０１は、撮影した画像を画像記憶部３０６に保存し、ステップＳ７において、保存した画像を、撮影用モニタ１２３に表示させる。
【００８９】
図１０は、このときの撮影用モニタ１２３の表示例を示した図である。撮影用モニタ１２３の画面３８０には、ステップＳ５において撮影した画像３８１が表示されている。
【００９０】
そして、ステップＳ８に進み、ＣＰＵ３０１は、図１２と図１５のフローチャートを参照して後述するアドバイス処理を行う。
【００９１】
なお、このアドバイス処理は行わないようにすることも可能である。
【００９２】
ステップＳ９において、ＣＰＵ３０１は、ユーザにより再撮影が指示されたか否かを判定し、再撮影が指示されたと判定されるまで待機する。ステップＳ９において再撮影が指示されたと判定された場合、ＣＰＵ３０１は、ステップＳ１０に進み、カウントダウンインジケータを表示させ、再撮影を行い、ステップ１１において最撮影した画像を画像記憶部３０６に保存する。そして、ステップＳ１２に進み、ＣＰＵ３０１は、ステップＳ５において撮影した撮影準備前の画像と、ステップＳ１０において、再撮影した画像を撮影用モニタ１２３に表示する。
【００９３】
図１１は、このときの撮影用モニタ１２３の表示例を示した図である。撮影用モニタ３８０にはステップＳ５において撮影した撮影準備前の画像３８１とステップＳ１０において再撮影された画像３８２が表示されており、再撮影された画像の下方には、「こんなにキレイになったよ」の文字が表示されている。
【００９４】
ステップＳ１３において、ＣＰＵ３０１は、残り撮影可能枚数が１枚以上あるか否かを判定し、残り撮影可能枚数が１枚以上あると判定した場合、ステップＳ８に戻り、それ以降の処理を繰り返し実行する。
【００９５】
ステップＳ１３において、残り撮影可能枚数が０枚であると判定された場合、ＣＰＵ３０１は、ステップＳ１４に進み、保存した画面に対応する情報をもったカードを発行し、カード取出口１５３から排出する。このカードには、ステップＳ６において保存した画像とステップＳ１１において保存した画像を識別する情報が記録されており、ユーザが後で、撮影空間３において写真撮影編集装置３０を利用するとき、このカードを挿入することにより、撮影準備空間２で撮影された画像を表示させることができる。
【００９６】
このようにして、撮影準備空間２における撮影準備処理が行われ、ユーザは、アドバイスを受けることで、どれだけ綺麗になったかを実感することができる。また、撮影準備処理には、制限時間がないため、ユーザは納得がいくまで、アドバイスを受け、化粧をしたり、着替えをしたりすることができる。
【００９７】
次に、図１２のフローチャートを参照して、ステップＳ８のアドバイス処理の第１の処理方法について説明する。ステップＳ２１において、ＣＰＵ３０１は、図９のステップＳ６において保存した画像を分析する。そして、ステップＳ２２に進み、その画像に基づいたアドバイスを出力する。ステップＳ２３において、ＣＰＵ３０１は、ユーザからアドバイス終了が指示されたか否かを判定し、アドバイス終了が指示されたと判定されるまで待機する。
【００９８】
このようにして、ユーザは綺麗になるためのアドバイスを受けることができる。例えば、太っている人には、顔を細く見せるような化粧方法を案内したり、少し横を向いたポーズをとるように案内するアドバイスが行われる。また、綺麗に見える撮影の仕方や撮影画像の編集（落書き）方法のようなアドバイスを行うこともできる。ユーザは、このアドバイスに基づいて、撮影準備空間２において、化粧をしたり、着替えをしたりすることができる。
【００９９】
アドバイス処理で行われるアドバイスは、上述したように、写真撮影装置１００により行うこともできるが、図１３に示すように、写真シール印刷装置１の写真撮影装置１００と、その設置場所から離れた場所にあるセンタ４００の遠隔制御装置４２０を通信回線（ネットワーク）４１０で結び、センタ内のアドバイザからアドバイスを受けることもできる。
【０１００】
図１４は、このときセンタ４００において利用される遠隔制御装置４２０の外観を示す図である。遠隔制御装置４２０の正面上方の面４２０−１には、撮影準備空間２内のユーザを表示するモニタ４３１が設けられ、モニタ４３１の下方には、マイクロフォン４３２が設けられている。マイクロフォン４３２に入力されたアドバイザの声は、撮影準備空間２内の写真撮影装置１００のスピーカ１５２から出力される。面４２０−１の下方にある、所定の角度だけ上方を向いた面４２０−２には、操作パネル４３３が設けられている。操作パネル４３３は、アドバイザにより操作される各種の操作ボタンよりなり、このボタンを操作することにより、アドバイザは、例えば、写真撮影装置１００のカメラ１２１のズームの調整を遠隔地にあるセンタ４００内から行うことができる。また、面４２０−２の下方の面４２０−３には、スピーカ４３４が設けられており、スピーカ４３４から撮影準備空間２内のユーザの声が出力される。
【０１０１】
次に、図１５のフローチャートを参照して、アドバイス処理の第２の処理方法について説明する。ステップＳ４１においてＣＰＵ３０１は、センタ４００内の遠隔制御装置４２０との通信を開始する。ステップＳ４２において、ＣＰＵ３０１は図９のステップＳ６の処理で保存した画像をセンタ４００内の遠隔制御装置４２０に転送する。そして、ステップＳ４３に進み、センタ４００内の遠隔制御装置４２０と音声通信を行う。このときセンタ４００内のアドバイザから撮影準備空間２内のユーザに対してアドバイスが行われる。ステップＳ４４においてＣＰＵ３０１は、ユーザによりアドバイス終了が指示されたか否かを判定し、アドバイス終了が指示されたと判定されるまで待機する。
【０１０２】
このようにして、ユーザは綺麗になるためのアドバイスを、センタ４００内のアドバイザと対話しながら、受けることができる。センタ４００内のアドバイザは、撮影準備空間２内のユーザの画像を確認しながら、例えば、太っている人には、顔を細く見せるような化粧方法を案内したり、少し横を向いたポーズをとるようにアドバイスすることができる。また、綺麗に見える撮影の仕方や撮影画像の編集（落書き）方法のようなアドバイスを行うこともできる。ユーザは、このアドバイスに基づいて、撮影準備空間２において、化粧をしたり、着替えをしたりすることができる。
【０１０３】
次に図１６乃至１８のフローチャートを参照して、写真撮影編集装置３０による画像撮影処理について説明する。
【０１０４】
最初にステップＳ６１において、ＣＰＵ２０１は、プログラム記憶部２０４に記憶されている、撮影の進行方法などのデモンストレーション画面（以下、デモ画面と称する）を、撮影用モニタ６１に表示させる。
【０１０５】
ステップＳ６２において、ＣＰＵ２０１は、硬貨処理部２０７からの出力に基づいて、所定の代金が投入されたか否かを判定し、投入されたと判定するまでデモ画面を表示して待機する。一方、ＣＰＵ２０１は、代金が投入されたと判定した場合、ステップＳ６３に進み、図２０を参照して後述する撮影事前処理を行う。ステップＳ６４において、ＣＰＵ２０１は、ユーザが撮影開始を指示するために操作する操作パネル６２の撮影開始ボタンの受け付けを開始し、ステップＳ６５において、所定の時間が経過したか否か、または、ユーザにより撮影開始のボタンが操作されたか否かを判定し、所定の時間が経過した、または、ユーザにより撮影開始ボタンが操作されたと判定するまで待機する。
【０１０６】
所定の時間が経過した、または、ユーザにより撮影開始ボタンが操作されたと判定した場合、ＣＰＵ２０１は、ステップＳ６６に進み、撮影用モニタ６１に、カウントダウンインジケータを表示させ、撮影を行う。このとき、カメラ４１により撮影されている画像が静止画としてＲＡＭ２０３に記憶される。また、ＣＰＵ２０１は、撮影するタイミングとなったとき、照明装置５１を制御してフラッシュを被写体に照射する。
【０１０７】
ステップＳ６７において、ＣＰＵ２０１は、ステップＳ６６で撮影した画像の確認画面を撮影用モニタ６１に表示させる。そして、ＣＰＵ２０１は、ステップＳ６８において、ユーザが操作パネル６２を操作することにより撮影した画像を編集対象画像として保存することを指示したか否かを判定する。指示したと判定した場合、ＣＰＵ２０１は、ステップＳ６９に進み、撮影用モニタ６１に表示させた画像を画像記憶部２０６に保存し、ステップＳ７０に進む。
【０１０８】
一方、ＣＰＵ２０１は、ステップＳ６８において、撮影した画像を編集対象画像として保存することを指示していないと判定した場合、画像を保存せず、ステップＳ７０に進む。
【０１０９】
ステップＳ７０において、ＣＰＵ２０１は、ユーザに再度撮影を行うか否かを選択させる再撮影確認画面を撮影用モニタ６１に表示させる。ユーザは、操作パネル６２を操作して指定することにより再撮影を指示するか、若しくは再影作業の終了を指示することができる。
【０１１０】
ＣＰＵ２０１は、ステップＳ７１において、ユーザが再撮影を指示したか否かを判定する。再撮影を指示していないと判定した場合、ＣＰＵ２０１は、ステップＳ７２に進み、所定の時間が経過したか否か、または、撮影終了を指示したか否かを判定する。所定の時間が経過しておらず、またユーザが撮影終了を指示していないと判定した場合、ＣＰＵ２０１は、ステップＳ７０に戻り、それ以降の処理を繰り返す。
【０１１１】
所定の時間が経過した、または、ユーザが撮影終了を指示したと判定した場合、ＣＰＵ２０１は、ステップＳ７３に進み、撮影した画像と、撮影準備空間２において撮影された撮影準備画像を撮影用モニタ６１に表示する。
【０１１２】
図１９は、このときの撮影用モニタ６１の表示例を示した図である。撮影用モニタの画面４５０には、撮影空間３において撮影された画像４７１と、撮影準備空間２において撮影された撮影準備画像４７２が表示され、「こんなポーズで撮ってね」の文字が表示されている。
【０１１３】
また、ステップＳ７１において、ユーザが再撮影を指示したと判定した場合、ＣＰＵ２０１は、ステップＳ１３に進み、残り撮影可能枚数が１枚以上あるか否かを判定し、残り撮影可能枚数が１枚以上あると判定した場合、ステップＳ３に戻り、それ以降の処理を繰り返す。また、残り撮影可能枚数が０枚であると判定した場合、ＣＰＵ２０１は、ステップＳ７３に進み、撮影した画像と、撮影準備空間２において撮影された撮影準備画像を撮影用モニタ６１に表示する。
【０１１４】
そして、ＣＰＵ２０１は、ステップＳ７５に進み、映像入出力制御部２６１およびプリンタ９１の動作状態を確認し、編集空間４において編集処理を行うことができるか否かを判定する。ＣＰＵ２０１は、編集空間４において編集処理を行うことができると判定した場合、ステップＳ７７に進み、撮影空間３にいるユーザを編集空間４に移動させる案内を撮影用モニタ６１に表示させる。そして、処理はステップＳ１に戻りそれ以降の処理が繰り返し実行される。
【０１１５】
ステップＳ７５において、編集空間４において編集処理を行うことができないと判定した場合、ＣＰＵ２０１は、ステップＳ７６に進み、撮影用モニタ６１に待機画面を表示し、ステップＳ７５に戻り、それ以降の処理を繰り返し実行する。
【０１１６】
このようにして、ユーザは、撮影空間３において撮影を行うことができる。
【０１１７】
次に、図２０のフローチャートを参照して、図１６のステップＳ６３の撮影事前処理について説明する。ステップＳ９１においてＣＰＵ２０１は、撮影用モニタ６１に案内画像を表示する。
【０１１８】
図２１は、このときの撮影用モニタ６１の表示例を示す図である。撮影用モニタ６１の画面４５０には、「撮影準備画像を表示しますか？」の文字が表示されるとともに、ＹＥＳボタン４８２とＮＯボタン４８３が表示されている。ユーザは、例えば、操作パネル６２に配置された「＋ボタン」、「−ボタン」を操作して撮影用モニタ６１に表示されるカーソルなどを移動させ、ＹＥＳボタン４８２、またはＮＯボタン４８３を選択することができる。
【０１１９】
ステップＳ９２において、ＣＰＵ２０１は、撮影準備画像の要求があったか否かを判定する。撮影準備画像の要求があったと判定された場合、すなわち図２１の画面において、ユーザがＹＥＳボタン４８２を選択した場合、ステップＳ９３に進み、ＣＰＵ２０１は、カード挿入の案内を撮影用モニタ６１に表示する。
【０１２０】
図２２は、このときの撮影用モニタ６１の表示例を示す図である。撮影用モニタ６１の画面４５０には、「カードを挿入してください」の文字が表示されている。
【０１２１】
ステップＳ９４において、ＣＰＵ２０１は、カードが挿入されたか否かを判定し、カードが挿入されていないと判定された場合、ステップＳ９３に戻り、カードが挿入されたと判定されるまで待機する。
【０１２２】
図３のカード挿入口７３からカードが挿入されると、カード処理部２６５からカードが挿入されたことを表す信号が、ＣＰＵ２０１に送信され、ＣＰＵ２０１はカードが挿入されたと判定し、ステップＳ９５に進み、カードの情報に対応する撮影準備画像を撮影用モニタ６１に表示する。このとき、挿入されるカードは、図９のステップＳ１４の処理で発行されたカードであり、撮影準備空間２において撮影された画像に対応する情報が記録されている。写真撮影編集装置３０は、写真撮影装置１００とケーブル１１０を介して接続されており、写真撮影編集装置３０のＣＰＵ２０１は、カードに記録された情報にもとづいて、写真撮影装置１００の画像記憶部３０６に記憶されている画像を読み出すことができる。
【０１２３】
図２３は、このときの撮影用モニタ６１の表示例を示す図である。撮影用モニタの画面４５０には、撮影準備空間２で撮影された撮影準備画像４７２が表示され、「こんなポーズで撮ってね」の文字が表示されている。
【０１２４】
ステップＳ９２において、撮影準備画像の要求がなかったと判定された場合、すなわち、すなわち図２１の画面において、ユーザがＮＯボタン４８３を選択した場合、ステップＳ９３乃至９５の処理はスキップされる。
【０１２５】
このようにして、ユーザは撮影空間３において、撮影準備空間２で撮影された撮影準備画像を撮影用モニタ６１に表示させ、撮影準備画像を参考にして、ポーズをとったり、表情を変えたりして撮影を行うことができる。
【０１２６】
次に、図２４のフローチャートを参照して、編集処理について説明する。この処理は、撮影空間３における撮影を終了したユーザが、編集空間４において編集を行うときに実行される。
【０１２７】
最初にステップＳ１１１において、ＣＰＵ２０１は、画像記憶部２０６に記憶された編集対象画像を取得する。そしてＣＰＵ２０１は、ステップＳ１１２に進み、映像入出力制御部２６１を介して、編集用モニタ８１に取得した編集対象画像、編集機能ボタン、編集終了ボタンを含む編集画面を表示させ、ユーザがタッチペン８２を操作して行われる編集入力の受け付けを開始する。ユーザは、表示された画像に対してタッチペン８２を操作することにより、画像に落書きなどの編集を行う。
【０１２８】
ＣＰＵ２０１は、ステップＳ１１３において、ユーザがタッチペン８２を操作して入力した編集情報をリアルタイムに編集対象画像に重ね合わせた編集画像を、映像入出力制御部２６１を介して、編集用モニタ８１に表示させる。これにより、ユーザは、編集した画像を参照しながら、さらなる編集を行うことができる。
【０１２９】
ステップＳ１１４において、ＣＰＵ２０１は、予め決められた所定の時間が経過したか否か、または、ユーザがタッチペン８２を操作することにより、編集画面に表示された編集終了ボタンを操作されたか否かを判定し、所定の時間が経過した、または、編集終了ボタンが表示されたと判定するまで、編集画像を表示しながら待機する。
【０１３０】
ユーザの操作により、所定の時間が経過した、または、編集終了ボタンが表示されたと判定した場合、ＣＰＵ２０１は、ステップＳ１１５に進み、編集入力の受け付けを終了し、撮影準備前の画像を編集用モニタ８１に表示する。
【０１３１】
図２５は、このときの編集用モニタ８１の表示例を示す図である。編集用モニタ８１の画面４９０には、図８のステップＳ５で撮影された撮影準備画像５１１と編集された画像５１２が表示され、「こんなにキレイになったよ！」の文字が表示されている。
【０１３２】
ステップＳ１１６において、ＣＰＵ２０１は、編集データである編集画像に基づいて、撮影された編集対象画像と編集画像を重畳し、印刷データを作成し、ステップＳ１１７において、印刷データをプリンタ９１によりシール紙２１２に印刷する。ステップＳ１１８において、ＣＰＵ２０１は、印刷されたシール紙を印刷物取り出し口８４から排出させる。シールを排出させたＣＰＵ２０１は編集処理を終了する。
【０１３３】
このように、編集空間にいるユーザに対して編集処理が行われる。
【０１３４】
また、写真撮影編集装置３０と写真撮影装置１００は、同一の筐体として実現することもできる。このようにすることによって、装置の設置場所を小さくすることができる。
【０１３５】
図２６は本発明の第２の写真シール印刷装置の全体の構成を示している。この写真シール印刷装置１は、撮影を行う空間と編集を行う空間を１つにしたので、専有面積を小さくすることができる。この写真シール印刷装置１には撮影準備空間５３１と撮影編集空間５３２が設けられている。撮影準備空間５３１と撮影編集空間５３２とは、間仕切り５５２により仕切られている。撮影準備空間の前面にはカーテン５６１が設けられ、撮影空間の前面にはカーテン５６２が設けられている。
【０１３６】
図２７は、カーテン５６１と５６２を開いたときの図である。カーテン５６１は撮影準備空間５３１の天井５３１Ｔに沿って右側にスライドされ開けられている。撮影準備空間５３１の天井５３１Ｔには、洋服掛け５８０が設けられており、洋服掛け５８０には、ユーザが着替えるときに使用する洋服５８１が掛けられている。
【０１３７】
カーテン５６２は、撮影編集空間５３２の天井５３２Ｔに沿って右側にスライドされ開けられている。
【０１３８】
間仕切り５５２には後述する写真撮影編集装置６００と同じ大きさの穴が開けられており、撮影準備空間５３１において、ユーザが、写真撮影編集装置６００の面６００−７、６００−８、および６００−９に触れることができるように、また、撮影編集空間５３２において、ユーザが、写真撮影編集装置６００の面６００−１、６００−２、６００−３に触れることができるように写真撮影編集装置６００が設置されている。
【０１３９】
ユーザは、撮影準備空間５３１において撮影準備画像を撮影した後、撮影編集空間５３２に入って写真シール用画像の撮影を行い、その後、撮影空間５３２において撮影された写真シール用画像を編集し、そして印刷された写真シールを取得する。また、ユーザは、撮影準備空間５３１において撮影準備画像を撮影することなく、撮影編集空間５３２に入って写真シール用画像の撮影を行い、その後、撮影空間５３２において撮影された写真シール用画像を編集し、そして印刷された写真シールを取得することもできる。
【０１４０】
なお、撮影準備空間５３１と撮影空間５３２において、それぞれ別々のユーザを受け付けることができる。
【０１４１】
図２８は写真撮影編集装置６００の外観を示す図である。写真撮影編集装置６００の正面上方の面６００−１には、撮影装置６２０が設置されている。この撮影装置６２０には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などよりなるカメラ６２１、および小型のＬＣＤ（Ｌｉｑｕｉｄ  Ｃｒｙｓｔａｌ  Ｄｉｓｐｌａｙ）などよりなる取り込み画像表示部６２２が配置されている。カメラ６２１は、被写体の画像を取り込み、その画像（動画像）は、取り込み画像表示部６２２に表示される。取り込み画像表示部６２２がカメラ６２１の近傍に設けられているため、ユーザは、取り込み画像表示部６２２に表示されている自分の画像を確認しながら、視線をほぼカメラ６２１に向けた状態で撮影することができる。
【０１４２】
また、面６００−１の左右には、照明装置６３１が配置される。照明装置６３１は、内部に発光体（フラッシュ）を有しており、ユーザから撮影の開始が指示され、カメラ６２１が被写体を撮影するとき（キャプチャするとき）、そのタイミングに合わせて、被写体を照射する。
【０１４３】
面６００−１の下方にある、所定の角度だけ上方を向いた面６００−２には、ＣＲＴ（Ｃａｔｈｏｄｅ  Ｒａｙ  Ｔｕｂｅ）やＬＣＤなどよりなる撮影編集用モニタ６４１が設置されている。撮影編集用モニタ６４１は、撮影方法を案内する画面や、後述するように撮影装置６２０により撮影された被写体の画像を表示する。
【０１４４】
また、カメラ６２１で撮影され、編集する画像として選択され、保存された画像は、ユーザが撮影処理を終了した後、やはり撮影編集用モニタ６４１に表示される。編集用モニタ６４１には、タッチパネル８６２（図３０参照）が積層されており、ユーザは、撮影編集用モニタ６４１に表示されている画像に対して、タッチペン６４２を操作することにより、編集対象の画像（以下、適宜、編集対象画像と称する）に任意の文字や図形などを書き込む（入力する）ことができる。
【０１４５】
撮影編集用モニタ６４１は、編集対象画像とともに、様々な編集ツールの選択ボタンなどを表示する。そして、編集用モニタ６４１は、タッチペン６４２で書き込みがされたとき、その入力に応じて生成した編集済みの画像を表示する。
【０１４６】
タッチペン６４２は、編集用モニタ６４１に積層されるタッチパネル８６２の位置検出方式（例えば、抵抗膜式、超音波式など）に応じて構成され、編集に使用されないとき、面６００−２に設置されている突起部に固定される。
【０１４７】
面６００−２の右側には、操作パネル６４２が設置されている。操作パネル６４２は、ユーザにより操作される各種の操作ボタンよりなり、例えば、カメラ６２１のズームを調整するときなどに操作される。操作パネル６４２には、例えば、撮影用モニタ６４１に表示される各種の選択に対して、決定するとき操作される「○ボタン」、決定したものをキャンセルするとき操作される「×ボタン」、撮影用モニタ６４１に表示されるカーソルなどを移動するとき操作される「＋ボタン」、「−ボタン」などが配置され、そのほか、撮影の開始を指示するとき操作される「撮影スタートボタン」などが適宜配置される。
【０１４８】
面６００−２の下方にある面６００−３には、左上方に硬貨投入口６５１が設けられており、ユーザは、写真撮影編集装置６００を利用するとき、所定の金額を投入する。また、面６００−３の左右下方には、スピーカ６５２が設けられている。スピーカ６５２は、各種の音声ガイダンスなどを出力し、ユーザに対して、撮影編集方法（シール作成の進行方法）を案内する。さらに、面６００−３右上方には、カード挿入口６５３が設けられており、ユーザは、撮影編集空間５３２において写真撮影編集装置６００を利用するとき、撮影準備空間５３１において発行されたカードを挿入する。
【０１４９】
また、面６００−３には、印刷物取り出し口６５４が設けられており、所定の数、および大きさの複数のシールからなる、編集済みの画像が印刷されたシール紙を排出する。
【０１５０】
図２９は、写真撮影編集装置６００を背面からみた図である。写真撮影編集装置６００の背面上方の面６００−７には、撮影装置７２０が設置されている。この撮影装置７２０には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などよりなるカメラ７２１、および小型のＬＣＤ（Ｌｉｑｕｉｄ  Ｃｒｙｓｔａｌ  Ｄｉｓｐｌａｙ）などよりなる取り込み画像表示部７２２が配置されている。カメラ７２１は、被写体の画像を取り込み、その画像（動画像）は、取り込み画像表示部７２２に表示される。取り込み画像表示部７２２がカメラ７２１の近傍に設けられているため、ユーザは、取り込み画像表示部７２２に表示されている自分の画像を確認しながら、視線をほぼカメラ７２１に向けた状態で撮影することができる。
【０１５１】
また、面６００−７の左右には、照明装置７３１が配置される。照明装置７３１は、内部に発光体（フラッシュ）を有しており、ユーザから撮影の開始が指示され、カメラ７２１が被写体を撮影するとき（キャプチャするとき）、そのタイミングに合わせて、被写体を照射する。
【０１５２】
撮影装置７２０の下方には、ＣＲＴ（Ｃａｔｈｏｄｅ  Ｒａｙ  Ｔｕｂｅ）やＬＣＤなどよりなる撮影用モニタ７２３が設置されている。撮影用モニタ７２３は、撮影方法を案内する画面や、後述するように撮影装置７２０により撮影された被写体の画像を表示する。
【０１５３】
面６００−７の下方にある、所定の角度だけ上方を向いた面６００−８には、化粧箱７４１が設けられており、ユーザは、化粧箱７４１に収納されている化粧品を使って化粧をする。面６００−８の右側には、操作パネル７４２が設置されている。操作パネル７４２は、ユーザにより操作される各種の操作ボタンよりなり、例えば、カメラ７２１のズームを調整するときなどに操作される。操作パネル７４２には、例えば、撮影用モニタ７２３に表示される各種の選択に対して、決定するとき操作される「○ボタン」、決定したものをキャンセルするとき操作される「×ボタン」、撮影用モニタ７２３に表示されるカーソルなどを移動するとき操作される「＋ボタン」、「−ボタン」などが配置され、そのほか、撮影の開始を指示するとき操作される「撮影スタートボタン」などが適宜配置される。
【０１５４】
面６００−８の下方にある面６００−９には、左上方に硬貨投入口７５１が設けられており、ユーザは、写真撮影編集装置６００を利用するとき、所定の金額を投入する。また、面６００−９の左右下方には、スピーカ７５２が設けられている。スピーカ７５２は、各種の音声ガイダンスなどを出力し、ユーザに対して、撮影方法を案内する。さらに、面６００−９右上方には、カード取出口７５３が設けられており、ユーザは、撮影が終了したとき、写真撮影編集装置６００により発行されたカードを取得する。
【０１５５】
図３０は、写真撮影編集装置６００の内部の構成例を示すブロック図である。図２８と図２９において説明した部分についてはその説明は省略する。
【０１５６】
ＣＰＵ（Ｃｅｎｔｒａｌ  Ｐｒｏｃｅｓｓｉｎｇ  Ｕｎｉｔ）８０１は、ＲＯＭ（Ｒｅａｄ  Ｏｎｌｙ  Ｍｅｍｏｒｙ）８０２に記憶されているプログラム、または、プログラム記憶部８０４からＲＡＭ（Ｒａｎｄｏｍ  Ａｃｃｅｓｓ  Ｍｅｍｏｒｙ）８０３にロードしたプログラムに従って写真撮影編集装置６００の全体の動作を、バス８９０を介して制御する。ＲＡＭ８０３にはまた、ＣＰＵ８０１が各種の処理を実行する上において必要なデータなどが適宜記憶される。
【０１５７】
プログラム記憶部８０４は、ハードディスクやそのドライブからなり、ＣＰＵ８０１が実行する様々なプログラムなどを記憶する。ドライブ８２０は、フロッピディスクやハードディスクなどの磁気ディスク８３１、ＣＤ−ＲＯＭ，ＤＶＤなどの光ディスク８３２、ＭＤなどの光磁気ディスク８３３、または半導体メモリ８３４などの記録媒体に記憶されているプログラムを読み出し、バス８９０を介してプログラム記憶部８０４などに供給する。例えば、ドライブ８２０からは、被写体の画像と合成する新たなフレーム画像などが供給される。
【０１５８】
撮影装置６２０の内部には、カメラ６２１および取り込み画像表示部６２２の他に、カメラ制御部８０５が配置されている。カメラ制御部８０５は、ユーザが操作パネル６４２を操作することにより入力したカメラ６２１の調節要求に応じて、カメラ６２１のズーム率、取り込む光量などを制御する。
【０１５９】
画像記憶部８０６は、ユーザが撮影し、編集する画像として選択した画像を所定の枚数だけ記憶する。例えば、画像記憶部８０６は、編集対象画像を６枚まで記憶する。
【０１６０】
硬貨処理部８０７は、硬貨投入口６５１から投入された硬貨をカウントし、画像の作成代金として予め設定されている所定の金額が投入されたと判定したとき、それをＣＰＵ８０１に通知する。
【０１６１】
プリンタ６９１は、画像シールを作成する部分であり、カメラ６２１により撮影され、後述の編集処理などが施された後の画像をシール紙ユニット８１１から供給されるシール紙などに印刷し、出力する。
【０１６２】
ＩＤタグリーダ／ライタ８１０は、シール紙ユニット８１１に付されているＩＤタグ８１３を読み取り、ＣＰＵ８０１に通知する。ＣＰＵ８０１は、ＩＤタグリーダ／ライタ８１０より通知されたＩＤを、予めＲＯＭ８０２に記憶しているＩＤと照合することにより、シール紙ユニット８１１に収納されているシール紙８１２が、写真撮影編集装置６００が使用するシール紙として適当なシール紙であるか否かを判定し、写真撮影編集装置６００を使用可能、または使用不可能にする。
【０１６３】
撮影装置７２０の内部には、カメラ７２１および取り込み画像表示部７２２の他に、カメラ制御部８７１が配置されている。カメラ制御部８７１は、ユーザが操作パネル７４２を操作することにより入力したカメラ７２１の調節要求に応じて、カメラ７２１のズーム率、取り込む光量などを制御する。
【０１６４】
画像記憶部８７２は、ユーザが撮影した画像を所定の枚数だけ記憶する。例えば、画像記憶部８７２は、編集対象画像を６枚まで記憶する。
【０１６５】
硬貨処理部８７３は、硬貨投入口７５１から投入された硬貨をカウントし、画像の作成代金として予め設定されている所定の金額が投入されたと判定したとき、それをＣＰＵ８０１に通知する。
【０１６６】
音声出力制御部８５１は、ＣＰＵ８０１からの制御に基づいてスピーカ６５２を制御し、撮影方法などを説明する各種の音声ガイダンスや、例えば、静止画像を取り込むときのシャッター音などの効果音を出力し、また、編集方法などを説明する各種の音声ガイダンスや、画像に書き込むときに発生される効果音などを出力する。
【０１６７】
映像入出力制御部８６１は、撮影処理が終了し、ユーザが編集を開始するとき、画像記憶部８０６からバス８９０を介して転送されてくる編集対象画像を内蔵するメモリ（図示せず）に記憶する。そして、映像入出力制御部８６１は、タッチパネル８６２において編集入力がされたとき、編集対象画像上における、その入力位置を検出し、編集対象画像に反映させて撮影編集用モニタ６４１に表示させる。なお、図３０においては、撮影編集用モニタ６４１とタッチパネル８６２は別の位置に示されているが、実際には積層して配置されている。
【０１６８】
カード処理部８６５は、カード挿入口６５３からカードが挿入されたとき、挿入されたことを表す信号をＣＰＵ８０１に送信、またＣＰＵ８０１からの指示に対応して挿入されたカードを排出する。
【０１６９】
カード処理部８６６は、ＣＰＵ８０１からの指示に対応して、カードユニット８６７からカード８６８を取り出し、画像記憶部８７２に記憶された画像に対応する情報をカードに記録して、カード取出口７５３に排出する。
【０１７０】
音声出力制御部８７６は、ＣＰＵ８０１からの制御に基づいてスピーカ７５２を制御し、撮影方法などを説明する各種の音声ガイダンスや、例えば、静止画像を取り込むときのシャッター音などの効果音を出力する。
【０１７１】
次に、図３１と図３２のフローチャートを参照して、写真撮影編集装置６００における撮影準備処理について説明する。
【０１７２】
最初にステップＳ１３１において、ＣＰＵ８０１は、プログラム記憶部８０４に記憶されている、撮影の進行方法などのデモ画面を、撮影用モニタ７２３に表示させる。ステップＳ１３２においてＣＰＵ８０１は、所定の代金が投入されたか否かを判定し、投入されたと判定するまでデモ画面を表示して待機する。
【０１７３】
ステップＳ１３２において、所定の代金が投入されたと判定された場合、ＣＰＵ８０１は、ステップＳ１３３において、ユーザが撮影開始を指示するために操作する操作パネル７４２の撮影開始ボタンの受け付けを開始し、ステップＳ１３４において、所定の時間が経過したか否か、または、ユーザにより撮影開始のボタンが操作されたか否かを判定し、所定の時間が経過した、または、ユーザにより撮影開始ボタンが操作されたと判定するまで待機する。
【０１７４】
ステップＳ１３４において所定の時間が経過した、または、ユーザにより撮影開始ボタンが操作されたと判定した場合、ＣＰＵ８０１は、ステップＳ１３５に進み、撮影用モニタ７２３に、カウントダウンインジケータを表示させ、撮影を行う。ステップＳ１３６において、ＣＰＵ８０１は、撮影した画像を画像記憶部８７２に保存し、ステップＳ１３７において、保存した画像を、撮影用モニタ７２３に表示させる。
【０１７５】
図３３は、このときの撮影用モニタ１２３の表示例を示した図である。撮影用モニタ７２３の画面９０１には、ステップＳ１３５において撮影した画像９１１が表示されている。
【０１７６】
そして、ステップＳ１３８に進み、ＣＰＵ８０１は、図３５と図３７のフローチャートを参照して後述するアドバイス処理を行う。
【０１７７】
なお、このアドバイス処理は行わないようにすることも可能である。
【０１７８】
ステップＳ１３９において、ＣＰＵ８０１は、ユーザにより再撮影が指示されたか否かを判定し、再撮影が指示されたと判定されるまで待機する。ステップＳ１３９において再撮影が指示されたと判定された場合、ＣＰＵ８０１は、ステップＳ１４０に進み、カウントダウンインジケータを表示させ、再撮影を行い、ステップ１４１において最撮影した画像を画像記憶部８７２に保存する。そして、ステップＳ１４２に進み、ＣＰＵ８０１は、ステップＳ１３５において撮影した撮影準備前の画像と、ステップＳ１４０において、再撮影した画像を撮影用モニタ７２３に表示する。
【０１７９】
図３４は、このときの撮影用モニタ７２３の表示例を示した図である。撮影用モニタ７２３の画面９０１にはステップＳ１３５において撮影した撮影準備前の画像９１１と再撮影された画像９１３が表示されており、再撮影された画像の下方には、「こんなにキレイになったよ！」の文字が表示されている。
【０１８０】
ステップＳ１４３において、ＣＰＵ８０１は、残り撮影可能枚数が１枚以上あるか否かを判定し、残り撮影可能枚数が１枚以上あると判定した場合、ステップＳ１３８に戻り、それ以降の処理を繰り返し実行する。
【０１８１】
ステップＳ１４３において、残り撮影可能枚数が０枚であると判定された場合、ＣＰＵ８０１は、ステップＳ１４４に進み、保存した画面に対応する情報をもったカードを発行し、カード取出口７５３から排出する。このカードには、ステップＳ１３６において保存した画像とステップＳ１４１において保存した画像を識別する情報が記録されており、ユーザが後で、撮影編集空間５３２において写真撮影編集装置６００を利用するとき、このカードを挿入することにより、撮影準備空間５３１で撮影された画像を表示させることができる。
【０１８２】
このようにして、撮影準備空間５３１における撮影準備処理が行われ、ユーザは、アドバイスを受けることで、どれだけ綺麗になったかを実感することができる。また、撮影準備処理には、制限時間がないため、ユーザは納得がいくまで、アドバイスを受け、化粧をしたり、着替えをしたりすることができる。
【０１８３】
次に、図３５のフローチャートを参照して、ステップＳ１３８のアドバイス処理の第１の処理方法について説明する。ステップＳ１６１において、ＣＰＵ８０１は、図３２のステップＳ１３６において保存した画像を分析する。そして、ステップＳ１６２に進み、その画像に基づいたアドバイスを出力する。ステップＳ１６３において、ＣＰＵ８０１は、ユーザからアドバイス終了が指示されたか否かを判定し、アドバイス終了が指示されたと判定されるまで待機する。
【０１８４】
このようにして、ユーザは綺麗になるためのアドバイスを受けることができる。例えば、太っている人には、顔を細く見せるような化粧方法を案内したり、少し横を向いたポーズをとるように案内するアドバイスが行われる。また、綺麗に見える撮影の仕方や撮影画像の編集（落書き）方法のようなアドバイスを行うこともできる。ユーザは、このアドバイスに基づいて、撮影準備空間５３１において、化粧をしたり、着替えをしたりすることができる。
【０１８５】
アドバイス処理で行われるアドバイスは、上述したように、写真撮影編集装置６００により行うこともできるが、図３６に示すように、写真シール印刷装置１の写真撮影編集装置６００と、その場所から離れた場所にあるセンタ４００の遠隔制御装置４２０を通信回線（ネットワーク）４１０で結び、センタ内のアドバイザからアドバイスを受けることもできる。センタ４００内には、図１４を参照して説明した遠隔制御装置４２０が設置されており、センタ４００内のアドバイザは、遠隔制御装置４２０を用いて、撮影準備空間５３２にいるユーザに対してアドバスを行うことができる。
【０１８６】
次に、図３７のフローチャートを参照して、アドバイス処理の第２の処理方法について説明する。ステップＳ１８１においてＣＰＵ８０１は、センタ４００内の遠隔制御装置４２０との通信を開始する。ステップＳ１８２において、ＣＰＵ８０１は図３２のステップＳ１３６の処理で保存した画像をセンタ４００内の遠隔制御装置４２０に転送する。そして、ステップＳ１８３に進み、センタ４００内の遠隔制御装置４２０と音声通信を行う。このときセンタ４００内のアドバイザから撮影準備空間２内のユーザに対してアドバイスが行われる。ステップＳ１８４においてＣＰＵ８０１は、ユーザによりアドバイス終了が指示されたか否かを判定し、アドバイス終了が指示されたと判定されるまで待機する。
【０１８７】
このようにして、ユーザは綺麗になるためのアドバイスを、センタ４００内のアドバイザと対話しながら、受けることができる。センタ４００内のアドバイザは、撮影準備空間５３１内のユーザの画像を確認しながら、例えば、太っている人には、顔を細く見せるような化粧方法を案内したり、少し横を向いたポーズをとるようにアドバイスすることができる。また、綺麗に見える撮影の仕方や撮影画像の編集（落書き）方法のようなアドバイスを行うこともできる。ユーザは、このアドバイスに基づいて、撮影準備空間５３１において、化粧をしたり、着替えをしたりすることができる。
【０１８８】
次に、図３８乃至４０のフローチャートを参照して、写真撮影編集装置６００による画像撮影編集処理について説明する。
【０１８９】
最初にステップＳ２０１において、ＣＰＵ８０１は、プログラム記憶部８０４に記憶されている、撮影の進行方法などのデモ画面を、撮影編集用モニタ６４１に表示させる。
【０１９０】
ステップＳ２０２において、ＣＰＵ８０１は、硬貨処理部８０７からの出力に基づいて、所定の代金が投入されたか否かを判定し、投入されたと判定するまでデモ画面を表示して待機する。一方、ＣＰＵ８０１は、代金が投入されたと判定した場合、ステップＳ２０３に進み、図４３を参照して後述する撮影事前処理を行う。ステップＳ２０４において、ＣＰＵ８０１は、ユーザが撮影開始を指示するために操作する操作パネル６４２の撮影開始ボタンの受け付けを開始し、ステップＳ２０５において、所定の時間が経過したか否か、または、ユーザにより撮影開始のボタンが操作されたか否かを判定し、所定の時間が経過した、または、ユーザにより撮影開始ボタンが操作されたと判定するまで待機する。
【０１９１】
所定の時間が経過した、または、ユーザにより撮影開始ボタンが操作されたと判定した場合、ＣＰＵ８０１は、ステップＳ２０６に進み、撮影編集用モニタ６４１に、カウントダウンインジケータを表示させ、撮影を行う。このとき、カメラ６２１により撮影されている画像が静止画としてＲＡＭ８０３に記憶される。また、ＣＰＵ８０１は、撮影するタイミングとなったとき、照明装置６３１を制御してフラッシュを被写体に照射する。
【０１９２】
ステップＳ２０７において、ＣＰＵ８０１は、ステップＳ２０６で撮影した画像の確認画面を撮影編集用モニタ６４１に表示させる。そして、ＣＰＵ８０１は、ステップＳ２０８において、ユーザが操作パネル６４２を操作することにより撮影した画像を編集対象画像として保存することを指示したか否かを判定する。指示したと判定した場合、ＣＰＵ８０１は、ステップＳ２０９に進み、撮影編集用モニタ６４１に表示させた画像を画像記憶部８０６に保存し、ステップＳ２１０に進む。
【０１９３】
一方、ＣＰＵ８０１は、ステップＳ２０８において、撮影した画像を編集対象画像として保存することを指示していないと判定した場合、画像を保存せず、ステップＳ２１０に進む。
【０１９４】
ステップＳ２１０において、ＣＰＵ８０１は、ユーザに再度撮影を行うか否かを選択させる再撮影確認画面を撮影編集用モニタ６４１に表示させる。ユーザは、操作パネル６４２を操作して指定することにより再撮影を指示するか、若しくは再影作業の終了を指示することができる。
【０１９５】
ＣＰＵ８０１は、ステップＳ２１１において、ユーザが再撮影を指示したか否かを判定する。再撮影を指示していないと判定した場合、ＣＰＵ８０１は、ステップＳ２１２に進み、所定の時間が経過したか否か、または、撮影終了を指示したか否かを判定する。所定の時間が経過しておらず、またユーザが撮影終了を指示していないと判定した場合、ＣＰＵ８０１は、ステップＳ２１０に戻り、それ以降の処理を繰り返し実行する。
【０１９６】
所定の時間が経過した、または、ユーザが撮影終了を指示したと判定した場合、ＣＰＵ８０１は、ステップＳ２１３に進み、撮影した画像と、撮影準備空間５３１において撮影された撮影準備画像を撮影編集用モニタ６４１に表示する。
【０１９７】
図４１は、このときの撮影編集用モニタ６４１の表示例を示した図である。撮影編集用モニタ６４１の画面９３１には、撮影空間５３２において撮影された画像９４１と、撮影準備空間５３１において撮影された撮影準備画像９４２が表示され、「こんなポーズで撮ってね」の文字が表示されている。
【０１９８】
また、ステップＳ２１１において、ユーザが再撮影を指示したと判定した場合、ＣＰＵ８０１は、ステップＳ２１４に進み、残り撮影可能枚数が１枚以上あるか否かを判定し、残り撮影可能枚数が１枚以上あると判定した場合、ステップＳ２０４に戻り、それ以降の処理を繰り返す。また、残り撮影可能枚数が０枚であると判定した場合、ＣＰＵ８０１は、ステップＳ２１３に進み、撮影した画像と、撮影準備空間５３１において撮影された撮影準備画像を撮影編集用モニタ６４１に表示する。
【０１９９】
そして、ＣＰＵ８０１は、ステップＳ２１５に進み、画像記憶部８０６に記憶された編集対象画像を取得する。そしてＣＰＵ８０１は、ステップＳ２１６に進み、映像入出力制御部８６１を介して、撮影編集用モニタ６４１に取得した編集対象画像、編集機能ボタン、編集終了ボタンを含む編集画面を表示させ、ユーザがタッチペン６４３を操作して行われる編集入力の受け付けを開始する。ユーザは、表示された画像に対してタッチペン６４３を操作することにより、画像に落書きなどの編集を行う。
【０２００】
ＣＰＵ８０１は、ステップＳ２１７において、ユーザがタッチペン６４３を操作して入力した編集情報をリアルタイムに編集対象画像に重ね合わせた編集画像を、映像入出力制御部８６１を介して、撮影編集用モニタ６４１に表示させる。これにより、ユーザは、編集した画像を参照しながら、さらなる編集を行うことができる。
【０２０１】
ステップＳ２１８において、ＣＰＵ８０１は、予め決められた所定の時間が経過したか否か、または、ユーザがタッチペン６４３を操作することにより、編集画面に表示された編集終了ボタンを操作されたか否かを判定し、所定の時間が経過した、または、編集終了ボタンが表示されたと判定するまで、編集画像を表示しながら待機する。
【０２０２】
ユーザの操作により、所定の時間が経過した、または、編集終了ボタンが表示されたと判定した場合、ＣＰＵ８０１は、ステップＳ２１９に進み、編集入力の受け付けを終了し、撮影準備前の画像を編集用モニタ６４１に表示する。
【０２０３】
図４２は、このときの撮影編集用モニタ６４１の表示例を示す図である。編集用モニタ６４１の画面９３１には、図３１のステップＳ１３５で撮影された撮影準備画像９５１と編集された画像９５２が表示され、「こんなにキレイになったよ！」の文字が表示されている。
【０２０４】
ステップＳ２２０において、ＣＰＵ８０１は、編集データである編集画像に基づいて、撮影された編集対象画像と編集画像を重畳し、印刷データを作成し、ステップＳ２２１において、印刷データをプリンタ６９１によりシール紙８１２に印刷する。ステップＳ２２２において、ＣＰＵ８０１は、印刷されたシール紙を印刷物取り出し口６５４から排出させる。
【０２０５】
このように、撮影編集空間５３２にいるユーザに対して撮影編集処理が行われる。
【０２０６】
次に、図４３のフローチャートを参照して、図３８のステップＳ２０３の撮影事前処理について説明する。ステップＳ２４１においてＣＰＵ８０１は、撮影編集用モニタ６４１に案内画像を表示する。
【０２０７】
図４４は、このときの撮影用モニタ６４１の表示例を示す図である。撮影用モニタ６４１の画面９３１には、「撮影準備画像を表示しますか？」の文字が表示されるとともに、ＹＥＳボタン９６１とＮＯボタン９６２が表示されている。ユーザは、例えば、操作パネル６４２に配置された「＋ボタン」、「−ボタン」を操作して撮影用モニタ６４１に表示されるカーソルなどを移動させ、ＹＥＳボタン９６１、またはＮＯボタン９６２を選択することができる。
【０２０８】
ステップＳ２４２において、ＣＰＵ８０１は、撮影準備画像の要求があったか否かを判定する。撮影準備画像の要求があったと判定された場合、すなわち図４４の画面において、ユーザがＹＥＳボタン９６１を選択した場合、ステップＳ２４３に進み、ＣＰＵ８０１は、カード挿入の案内を撮影編集用モニタ６４１に表示する。
【０２０９】
図４５は、このときの撮影用モニタ６４１の表示例を示す図である。撮影用モニタ６４１の画面９３１には、「カードを挿入してください」の文字が表示されている。
【０２１０】
ステップＳ２４４において、ＣＰＵ８０１は、カードが挿入されたか否かを判定し、カードが挿入されていないと判定された場合、ステップＳ２４３に戻り、カードが挿入されたと判定されるまで待機する。
【０２１１】
図２８のカード挿入口６５３からカードが挿入されると、カード処理部８６５からカードが挿入されたことを表す信号が、ＣＰＵ８０１に送信され、ＣＰＵ８０１はカードが挿入されたと判定し、ステップＳ２４５に進み、カードの情報に対応する撮影準備画像を撮影編集用モニタ６４１に表示する。このとき、挿入されるカードは、図３２のステップＳ１４４の処理で発行されたカードであり、撮影準備空間５３１において撮影された画像に対応する情報が記録されている。ＣＰＵ８０１は、カードに記録された情報にもとづいて、画像記憶部８７２に記憶されている画像を読み出すことができる。
【０２１２】
図４６は、このときの撮影用モニタ６４１の表示例を示す図である。撮影用モニタの画面３９１には、撮影準備空間５３１で撮影された撮影準備画像９４２が表示され、「こんなポーズで撮ってね」の文字が表示されている。
【０２１３】
ステップＳ２４２において、撮影準備画像の要求がなかったと判定された場合、すなわち、すなわち図４４の画面において、ユーザがＮＯボタン９６２を選択した場合、ステップＳ２４３乃至２４５の処理はスキップされる。
【０２１４】
このようにして、ユーザは撮影編集空間５３２において、撮影準備空間５３１で撮影された撮影準備画像を撮影用モニタ６４１に表示させ、撮影準備画像を参考にして、ポーズをとったり、表情を変えたりして撮影を行うことができる。
【０２１５】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【０２１６】
【発明の効果】
以上の如く本発明によれば、ユーザの画像を撮影することができる。特に変化に富んだユーザの画像を撮影することができる。しかも、編集に基づく仮想的な変化ではなく、ユーザ自身が実際に変化した状態の画像を撮影し、もって、ユーザの満足度を上げるようにすることができる。
【図面の簡単な説明】
【図１】本発明の写真シール印刷装置の構成を示す側面図である。
【図２】本発明の写真シール印刷装置の内部の構成を示す側面図である。
【図３】図２の写真撮影編集装置の外観の構成を示す斜視図である。
【図４】図３の写真撮影編集装置を背面からみた構成を示す斜視図である。
【図５】図３の写真撮影編集装置の内部構成例を示すブロック図である。
【図６】図２の写真撮影装置の外観の構成を示す斜視図である。
【図７】図６の写真撮影装置の内部構成例を示すブロック図である。
【図８】撮影準備処理を説明するフローチャートである。
【図９】撮影準備処理を説明するフローチャートである。
【図１０】撮影用モニタの表示例を示す図である。
【図１１】撮影用モニタの表示例を示す図である。
【図１２】アドバイス処理を説明するフローチャートである。
【図１３】写真シール印刷装置とセンタの関係を示す図である。
【図１４】遠隔制御装置の外観の構成を示す斜視図である。
【図１５】アドバイス処理を説明するフローチャートである。
【図１６】画像撮影処理を説明するフローチャートである。
【図１７】画像撮影処理を説明するフローチャートである。
【図１８】画像撮影処理を説明するフローチャートである。
【図１９】撮影用モニタの表示例を示す図である。
【図２０】撮影事前処理を説明するフローチャートである。
【図２１】撮影用モニタの表示例を示す図である。
【図２２】撮影用モニタの表示例を示す図である。
【図２３】撮影用モニタの表示例を示す図である。
【図２４】編集処理を説明するフローチャートである。
【図２５】撮影用モニタの表示例を示す図である。
【図２６】本発明の写真シール印刷装置の他の構成を示す側面図である。
【図２７】図２６の写真シール印刷装置の内部の構成を示す側面図である。
【図２８】図２７の写真撮影編集装置の外観の構成を示す斜視図である。
【図２９】図２８の写真撮影編集装置を背面からみた構成を示す斜視図である。
【図３０】図２８の写真撮影編集装置の内部構成例を示すブロック図である。
【図３１】撮影準備処理を説明するフローチャートである。
【図３２】撮影準備処理を説明するフローチャートである。
【図３３】撮影用モニタの表示例を示す図である。
【図３４】撮影用モニタの表示例を示す図である。
【図３５】アドバイス処理を説明するフローチャートである。
【図３６】写真シール印刷装置とセンタの関係を示す図である。
【図３７】アドバイス処理を説明するフローチャートである。
【図３８】画像撮影編集処理を説明するフローチャートである。
【図３９】画像撮影編集処理を説明するフローチャートである。
【図４０】画像撮影編集処理を説明するフローチャートである。
【図４１】撮影編集用モニタの表示例を示す図である。
【図４２】撮影編集用モニタの表示例を示す図である。
【図４３】撮影事前処理を説明するフローチャートである。
【図４４】撮影編集用モニタの表示例を示す図である。
【図４５】撮影編集用モニタの表示例を示す図である。
【図４６】撮影編集用モニタの表示例を示す図である。
【符号の説明】
１  写真シール印刷装置
２  撮影準備空間
３  撮影空間
４  編集空間
３０  写真撮影編集装置
４０  撮影装置
６１  撮影用モニタ
８１  編集用モニタ
９１  プリンタ
１００  写真撮影装置
１２０  撮影装置
１２３  撮影用モニタ
２０１  ＣＰＵ
２１０  ＩＤタグリーダライタ
２１１  シール紙ユニット
２１２  シール紙
３０１  ＣＰＵ
４００  センタ
４２０  遠隔制御装置
５３１  撮影準備空間
５３２  撮影編集空間
６００  写真撮影編集装置
６２０  撮影装置
６４１  撮影編集用モニタ
６９１  プリンタ
７２０  撮影装置
７２３  撮影用モニタ
８０１  ＣＰＵ
８１０  ＩＤタグリーダライタ
８１１  シール紙ユニット
８１２  シール紙
【図１】
2004177631.tif 000003
【図２】
2004177631.tif 000004
【図３】
2004177631.tif 000005
【図４】
2004177631.tif 000006
【図５】
2004177631.tif 000007
【図６】
2004177631.tif 000008
【図７】
2004177631.tif 000009
【図８】
2004177631.tif 000010
【図９】
2004177631.tif 000011
【図１０】
2004177631.tif 000012
【図１１】
2004177631.tif 000013
【図１２】
2004177631.tif 000014
【図１３】
2004177631.tif 000015
【図１４】
2004177631.tif 000016
【図１５】
2004177631.tif 000017
【図１６】
2004177631.tif 000018
【図１７】
2004177631.tif 000019
【図１８】
2004177631.tif 000020
【図１９】
2004177631.tif 000021
【図２０】
2004177631.tif 000022
【図２１】
2004177631.tif 000023
【図２２】
2004177631.tif 000024
【図２３】
2004177631.tif 000025
【図２４】
2004177631.tif 000026
【図２５】
2004177631.tif 000027
【図２６】
2004177631.tif 000028
【図２７】
2004177631.tif 000029
【図２８】
2004177631.tif 000030
【図２９】
2004177631.tif 000031
【図３０】
2004177631.tif 000032
【図３１】
2004177631.tif 000033
【図３２】
2004177631.tif 000034
【図３３】
2004177631.tif 000035
【図３４】
2004177631.tif 000036
【図３５】
2004177631.tif 000037
【図３６】
2004177631.tif 000038
【図３７】
2004177631.tif 000039
【図３８】
2004177631.tif 000040
【図３９】
2004177631.tif 000041
【図４０】
2004177631.tif 000042
【図４１】
2004177631.tif 000043
【図４２】
2004177631.tif 000044
【図４３】
2004177631.tif 000045
【図４４】
2004177631.tif 000046
【図４５】
2004177631.tif 000047
【図４６】
2004177631.tif 000048